(57)【特許請求の範囲】
【請求項１】
各々が、情報を複数ビットのデジタル信号にて発生するガスメータからなる第１の機器、又は、情報を接点のオン・オフ信号にて発生する第２の機器が接続されるマルチポートとして構成された複数のポートを有し、該ポートに接続された前記機器からの情報を読み込み、該読み込んだ情報を機器の種類に応じて処理して遠隔のセンタ装置に通信回線を介して伝送する端末用伝送装置であって、
各々が種類の異なる前記機器からの情報を処理する２つの処理手段と、
前記２つの処理手段の１つを選択する選択手段と、
前記ポートの各々に対応して設けられ、前記選択手段が前記２つの処理手段の１つを選択するための選択情報を変更可能に保持する選択情報保持手段と、
前記ポートの各々に対応して設けられ、前記２つの処理手段による前記処理に必要な設定データと、対応する前記ポートに予め定められた当該ポートを他のポートと識別するための識別情報とを格納する前記２つの処理手段の各々に対応した２つの設定データ格納部を有する設定データ格納手段と、
前記識別情報と前記設定データとを有する設定情報を外部から受信し、該受信した設定情報の識別情報に基づいて、対応する前記設定データ格納手段に前記設定データを書き込んで格納させるデータ設定手段とを備え、
前記設定情報が、前記ポートに接続される前記第１又は第２の機器の種類に対応した種別情報と同一種別内での順番を示す番号情報とからなるポート番号を有し、
前記データ設定手段が、前記ポート番号を前記選択情報保持手段に前記選択情報として書き込み保持させ、
前記選択手段が、前記選択情報保持手段に保持されている前記ポート番号の種別情報により、前記ポートに接続される前記第１又は第２の機器の種類に対応した前記２つの処理手段の１つを選択する
ことを特徴とする端末用伝送装置。
【請求項２】
前記設定情報は、前記センタ装置から前記通信回線を介して伝送されてくる
ことを特徴とする請求項１記載の端末用伝送装置。
【請求項３】
複数のポートに接続された機器からの情報を読み込み、該読み込んだ情報を機器の種類に応じて処理して遠隔のセンタ装置に通信回線を介して伝送すると共に、前記処理を行うための設定データを前記通信回線を介して前記センタ装置から受信するようにした端末用伝送装置であって、
各々が種類の異なる前記機器からの情報を処理する複数の処理手段と、
前記複数の処理手段の１つを選択する選択手段と、
前記ポートの各々に対応して設けられ、前記選択手段が前記複数の処理手段の１つを選択するための選択情報を変更可能に保持する選択情報保持手段と、
前記ポートの各々に対応して設けられ、前記複数の処理手段の各々に対応した複数の設定データ格納部を有し、前記複数の処理手段による処理に必要な設定データを格納する設定データ格納手段と、
前記設定データに対応する前記ポートに予め定められた当該ポートを他のポートと識別するための識別情報と、前記ポートに接続される機器の種類に対応した種別情報と同一種別内での順番を示す番号情報とからなるポート番号と、前記複数の処理手段による処理に必要な設定データとを有する設定情報を、前記通信回線を介して前記センタ装置から受信し、該受信した設定情報に基づいて、対応する前記選択情報保持手段に前記ポート番号を前記選択情報として書き込み保持させ、対応する前記設定データ格納手段に前記設定データを書き込んで格納させるデータ設定手段とを備え、
前記選択手段が、前記選択情報保持手段に保持されている前記ポート番号の種別情報により、前記ポートに接続される機器の種類に対応した前記複数の処理手段の１つを選択する
ことを特徴とする端末用伝送装置。
【発明の詳細な説明】
【０００１】
【発明の属する技術分野】
本発明は、情報を発生する形式の異なる多種類の機器が接続され、これらの機器が発生する情報を処理して公衆電話回線のような通信回線を通じて遠隔のセンタ装置に伝送するための端末用伝送装置に関するものである。
【０００２】
【従来の技術】
従来この種の装置として、図１０に示すような構成のものが一般に使用されていた。同図において、端末用伝送装置は、公衆電話回線のような局線Ｌが接続される局線ポートＰ１、電話機（図示しない）が接続される電話機ポートＰ２、多種類の機器の１つとしての５ビット系メータのような５ビット系機器が接続される５ビット系ポートＰ３、多種類の機器の他の１つとしての警報器のようなオン・オフ信号を発生する接点機器が接続される接点機器ポートＰ４を有する。なお、５ビット系機器は５ビット電文により情報の送受を行う機器である。
【０００３】
端末用伝送装置はまた、電話機ポートＰ２に接続された電話機、又は、ポートＰ３及びＰ４に接続された機器の何れか一方を局線ポートＰ１の局線Ｌに接続する制御などを行う網制御ユニット（ＮＣＵ）１０、送信信号の変調と受信信号の復調を行う変復調器（モデム）１１、プログラム動作するマイクロコンピュータ（マイコン）によって構成される制御部１２、及び制御部１２と各接続ポートＰ１、Ｐ２との間に設けられたインタフェース（Ｉ／Ｆ）部１３を備えている。なお、１４は装置内の各部に電源供給する装置の動作電源として使用される電池である。
【０００４】
制御部１２は５ビット系ポートＰ３に接続された５ビット系機器との間でインタフェース（Ｉ／Ｆ）部１３内の５ビット系機器用のインターフェース回路を介して電文の送受を行うと共に、接点機器ポートＰ４に接続された接点機器の発生するオン・オフ信号をインタフェース（Ｉ／Ｆ）部１３内の接点機器用のインターフェース回路を介して監視する。そして、制御部１２は、受信した電文或いはオン・オフ信号の監視結果に基づいて電文を作成すると共に、ＮＣＵ１０を制御することによって、モデム１１、公衆電話回線などの局線Ｌを介して遠隔のセンタ装置２０との間で電文の送受を行い、上記作成した電文を遠隔のセンタ装置に伝送する制御を行う。
【０００５】
そして、５ビット系ポートＰ３がメータポートの場合、このポートに対応する制御部１２を構成するマイクロコンピュータ内のメモリには、図１１（ａ）に示されるような項目、すなわち、ポートを識別するためのＩＤ、メータからの警報の通報先の警報通報先電話番号１，２、端末発信で検針を行う場合の通報先の検針値通報先電話番号１，２、検針月日時、検針周期、端末発信時刻からなる定時検針条件、メータ起動時の動作を指定する動作条件、接続メータの事業体コードからなる接続メータ情報、有無情報からなる保守通報機能がそれぞれ設定される。接続メータ情報は、メータ事業体コードによって、電力メータ、ガスメータ、水道メータなどのメータ等種別が定められる。
【０００６】
また、接点機器ポートＰ４については、マイクロコンピュータ内のメモリには、図１１（ｂ）に示される項目、すなわち、ポートを識別するためのＩＤ、接点機器からの警報の通報先の警報通報先電話番号１，２、オン・オフ信号のどのような状態によって発呼を行う条件を定める発呼条件、発呼時間が設定される。
【０００７】
上述したように各ポートに対応して独立した項目の内容が設定され、設定された内容により、各々の動作を行うようになっている。
【０００８】
【発明が解決しようとする課題】
上述したように、従来の端末用伝送装置では、各ポートに対応して予め１つの機能が定められている構成となっている。このため、例えば５ビット系ポートと接点機器ポートが各１つしか設けられていない伝送装置には、５ビット系機器或いは接点機器を２つ接続することができない。よって、５ビット系機器或いは接点機器を２つ接続しようとした場合には、これに対応できる伝送装置を新たに用意しなければならくなる。このように機器の接続構成に応じて製品を用意した場合には、製品の種類が多くなり、製品管理が面倒になる他、他品種少量生産となってしまい、製品のコスト高を招いてしまう。
【０００９】
なお、単に製品数を少なくするには、各種の機器の接続組み合わせに対応できるように、予め余分のポートを設けた伝送装置を用意することも考えられるが、このようにした場合には、少ないポートしか使用しない場合には、結局、伝送装置を単価の高いものにしてしまう。
【００１０】
よって本発明は、上述した従来の問題点に鑑み、予め余分のポートを設けることなく、機器の接続構成を多くとることを可能にした端末用伝送装置を提供することを課題としている。
【００１１】
【課題を解決するための手段】
上記課題を解決するためなされた請求項１記載の発明は、図１の基本構成図に示すように、各々が、情報を複数ビットのデジタル信号にて発生するガスメータからなる第１の機器、又は、情報を接点のオン・オフ信号にて発生する第２の機器が接続されるマルチポートとして構成された複数のポートＰ１３，Ｐ１４を有し、該ポートに接続された前記機器からの情報を読み込み、該読み込んだ情報を機器の種類に応じて処理して遠隔のセンタ装置に通信回線を介して伝送する端末用伝送装置であって、各々が種類の異なる前記機器からの情報を処理する２つの処理手段１２０ａ−１，１２０ａ−２と、前記２つの処理手段の１つを選択する選択手段１２０ａ−３と、前記ポートの各々に対応して設けられ、前記選択手段が前記２つの処理手段の１つを選択するための選択情報を変更可能に保持する選択情報保持手段１２０ｃ１１と、前記ポートの各々に対応して設けられ、前記２つの処理手段による前記処理に必要な設定データと、対応する前記ポートに予め定められた当該ポートを他のポートと識別するための識別情報とを格納する前記２つの処理手段の各々に対応した２つの設定データ格納部１２０ｃ１２，１２０ｃ１３を有する設定データ格納手段１２０ｃ１と、前記識別情報と前記設定データとを有する設定情報を外部から受信し、該受信した設定情報の識別情報に基づいて、対応する前記設定データ格納手段に前記設定データを書き込んで格納させるデータ設定手段１２０ａ−４とを備え、前記設定情報が、前記ポートに接続される前記第１又は第２の機器の種類に対応した種別情報と同一種別内での順番を示す番号情報とからなるポート番号を有し、前記データ設定手段が、前記ポート番号を前記選択情報保持手段に前記選択情報として書き込み保持させ、前記選択手段が、前記選択情報保持手段に保持されている前記ポート番号の種別情報により、前記ポートに接続される前記第１又は第２の機器の種類に対応した前記２つの処理手段の１つを選択することを特徴とする端末用伝送装置に存する。
【００１２】
上述した請求項１記載の構成によれば、マルチポートとして構成された複数のポートＰ１３，Ｐ１４に接続された情報を複数ビットのデジタル信号にて発生する第１の機器、又は、情報を接点のオン・オフ信号にて発生する第２の機器が機器からの情報を読み込み、該読み込んだ情報を機器の種類に応じて処理して遠隔のセンタ装置に通信回線を介して伝送する端末用伝送装置は、各々が種類の異なる機器からの情報を処理する２つの処理手段１２０ａ−１，１２０ａ−２が設けられると共に、２つの処理手段の１つを選択するための選択情報を変更可能に保持する選択情報保持手段１２０ｃ１１と、２つの処理手段による処理に必要な設定データと、対応する前記ポートに予め定められた当該ポートを他のポートと識別するための識別情報とを格納する設定データ格納手段１２０ｃ１とがポートの１つに対応して設けられていて、データ設定手段１２０ａ−４が識別情報と前記設定データとを有する設定情報を外部から受信し、該受信した設定情報の識別情報に基づいて、対応する前記設定データ格納手段に前記設定データを書き込んで格納させ、設定情報が、ポートに接続される第１又は第２の機器の種類に対応した種別情報と同一種別内での順番を示す番号情報とからなるポート番号を有し、データ設定手段が、前記ポート番号を前記選択情報保持手段に前記選択情報として書き込み保持させ、選択手段１２０ａ−３が選択情報保持手段１２０ｃ１１の保持しているポート番号の種別情報により、ポートに接続される第１又は第２の機器の種類に対応した２つの処理手段の１つを選択し、選択した処理手段が設定データ格納手段１２０ｃ１の格納している設定データにより必要な処理を行う。
【００１３】
よって、選択手段のポート番号からなる選択情報を変更することによって、ポートに接続された第１又は第２の機器の種類に応じた処理手段が選択できるようになって、２つの種類から任意に選んだ機器を１つのポートに接続しても、処理手段は設定データ格納手段に格納された設定データにより接続された第１の機器又は第２の機器からの情報を処理することができる。
【００１７】
特に、選択手段の選択情報を変更することによって、ポートに接続された機器の種類に応じた処理手段が選択できるようになって、２つの種類から任意に選んだ機器を１つのポートに接続しても、処理手段は当該処理手段に対応した複数の設定データ格納部１２０ｃ１２，１２０ｃ１３の１つに格納された設定データにより接続された機器からの情報を処理することができる。
【００１９】
また、設定データ格納手段が、対応するポートに予め定められた当該ポートを他のポートと識別するための識別情報を有するので、この識別情報によって設定データ格納手段に格納されている設定データがどのポートのものであるかを知ることができる。すなわち、識別情報によってポートと設定データ格納手段との対応付けが行われる。
【００２１】
さらに、データ設定手段１２０ａ−４は、識別情報と設定データとを有する設定情報を外部から受信し、該受信した設定情報に基づいて、対応する設定データ格納手段に設定データを書き込んで格納させるようになっているので、外部から受信した設定情報の有する識別情報によって対応する設定データ格納手段に受信した設定データを確実に書き込み格納させることができる。
【００２３】
さらにまた、設定情報が有するポート番号が、ポートに接続される機器の種類に対応した種別情報と同一種別内での順番を示す番号情報とからなり、データ設定手段がポート番号を選択情報保持手段に選択情報として書き込み保持させ、選択手段が選択情報保持手段に保持されているポート番号の種別情報により、ポートに接続される機器の種類に対応した複数の処理手段の１つを選択するので、外部から受信した設定情報の有するポート番号の種別情報をそのまま利用して処理手段を選択するための選択情報を確保することができる。
【００２４】
請求項２記載の発明は、請求項１記載の端末用伝送装置において、前記設定情報は、前記センタ装置から前記通信回線を介して伝送されてくることを特徴とする端末用伝送装置に存する。
【００２５】
上述した請求項２記載の構成によれば、設定情報がセンタ装置から通信回線を介して伝送されるので、センタ装置において設定情報を作成し管理することができる。
【００２６】
請求項３記載の発明は、複数のポートＰ１３，Ｐ１４に接続された機器からの情報を読み込み、該読み込んだ情報を機器の種類に応じて処理して遠隔のセンタ装置に通信回線を介して伝送すると共に、前記処理を行うための設定データを前記通信回線を介して前記センタ装置から受信するようにした端末用伝送装置であって、各々が種類の異なる前記機器からの情報を処理する複数の処理手段１２０ａ−１，１２０ａ−２と、前記複数の処理手段の１つを選択する選択手段１２０ａ−３と、前記ポートの各々に対応して設けられ、前記選択手段が前記複数の処理手段の１つを選択するための選択情報を変更可能に保持する選択情報保持手段１２０ｃ１１と、前記ポートの各々に対応して設けられ、前記複数の処理手段の各々に対応した複数の設定データ格納部１２０ｃ１２，１２０ｃ１３を有し、前記複数の処理手段による処理に必要な設定データを格納する設定データ格納手段１２０ｃ１と、前記設定データに対応する前記ポートに予め定められた当該ポートを他のポートと識別するための識別情報と、前記ポートに接続される機器の種類に対応した種別情報と同一種別内での順番を示す番号情報とからなるポート番号と、前記複数の処理手段による処理に必要な設定データとを有する設定情報を、前記通信回線を介して前記センタ装置から受信し、該受信した設定情報に基づいて、対応する前記選択情報保持手段に前記ポート番号を前記選択情報として書き込み保持させると共に対応する前記設定データ格納手段に前記設定データを書き込んで格納させるデータ設定手段１２０ａ−４とを備え、前記選択手段が、前記選択情報保持手段に保持されている前記ポート番号の種別情報により、前記ポートに接続される機器の種類に対応した前記複数の処理手段の１つを選択することを特徴とする端末用伝送装置に存する。
【００２７】
上述した請求項３記載の構成によれば、情報を発生する機器が接続されるポートＰ１３，Ｐ１４に接続された機器からの情報を読み込み、該読み込んだ情報を機器の種類に応じて処理して遠隔のセンタ装置に通信回線を介して伝送すると共に、処理を行うための設定データを通信回線を介してセンタ装置から受信するようにした端末用伝送装置は、各々が種類の異なる機器からの情報を処理する複数の処理手段１２０ａ−１，１２０ａ−２が設けられると共に、複数の処理手段の１つを選択するための選択情報を変更可能に保持する選択情報保持手段１２０ｃ１１と、複数の処理手段の各々に対応した複数の設定データ格納部を有し、複数の処理手段による処理に必要な設定データを格納する設定データ格納手段１２０ｃ１とがポートの各々に対応して設けられ、データ設定手段１２０ａ−４が、設定データに対応するポートに予め定められた当該ポートを他のポートと識別するための識別情報と、ポートに接続される機器の種類に対応した種別情報と同一種別内での順番を示す番号情報とからなるポート番号と、複数の処理手段による処理に必要な設定データとを有する設定情報を、通信回線を介してセンタ装置から受信し、該受信した設定情報に基づいて、対応する選択情報保持手段にポート番号を選択情報として書き込み保持させると共に対応する設定データ格納手段に設定データを書き込んで格納させ、選択手段１２０ａ−３が選択情報保持手段１２０ｃ１１の保持している選択情報により複数の処理手段の１つを選択し、選択した処理手段が設定データ格納手段１２０ｃ１の格納している設定データにより必要な処理を行う。
【００２８】
よって、データ設定手段１２０ａ−４がセンタ装置から受信した設定情報のポート番号に基づいて選択手段の選択情報を変更することによって、ポートに接続された機器の種類に応じた処理手段が選択できるようになって、複数の種類から任意に選んだ機器を１つのポートに接続しても、処理手段は設定データ格納手段に格納された設定データにより接続された機器からの情報を処理することができ、設定情報がセンタ装置から通信回線を介して伝送されので、センタ装置において設定情報を作成し管理することができる。
【００２９】
【発明の実施の形態】
以下本発明の実施の形態を図２〜図９を参照して説明する。図２は本発明による端末用伝送装置を示し、同図において、図１０について上述した従来の装置と同一の部分には同一の符号を付してある。
【００３０】
図２において、ポートＰ１３及びＰ１４は、５ビット系機器又は接点機器の何れかが接続されるマルチポートとされており、これに関連し、各ポートを制御部１２に接続するＩ／Ｆ部１３内の後述するインターフェース回路は同一構成とされている。
【００３１】
５ビット系機器としては、電力メータ、ガスメータ、水道メータなどのメータ類が挙げられる。例えばガスメータの場合、伝送装置からの要求に応じて検針情報を、またガス流量などに異常があったときにはその異常の内容を示す異常警報情報を５ビットのデジタル信号にて発生し、これを電文によって端末用伝送装置にそれぞれ送出する。
【００３２】
接点機器としては、介護を必要とする老人などが介護サービスを受けるために操作して遠隔のサービスセンタにナースコールするためのナースコールスイッチ、複数のＬＰガス容器の１つのガス残量が少なくなって他のガス容器からのガス供給が開始したときに切り替わって遠隔のガス供給業者にその旨を報知するためのガス容器切替スイッチなどがそれぞれ挙げられ、オン・オフ信号にて発生した情報を伝送装置に送出する。
【００３３】
上述のように、機器の種類によって発生する情報の形式が異なるので、制御部１２は例えばポートＰ１３に接続されているものが５ビット系機器であるか、接点機器であるかによって、これらの機器から入力する情報の処理の仕方を変えるように構成されている。
【００３４】
上述のように構成された制御部１２は、図３に示すように、予め定めたプログラムに従って動作するマイクロコンピュータ（マイコン）１２０を有する。マイコン１２０は、プログラムに従って処理を行う中央処理ユニット（ＣＰＵ）１２０ａと、プログラムや固定データを格納した読み出し専用メモリ（ＲＯＭ）１２０ｂと、各種のデータを格納するデータエリアやＣＰＵ１２０ａによる処理において利用するワークエリアを有する読み出し書き込み自在のメモリ（ＲＡＭ）１２０ｃとを備える。
【００３５】
マイコン１２０のＣＰＵ１２０ａは、ポートＰ１３及びＰ１４にＩ／Ｆ部１３を介して接続された５ビット系機器及び接点機器からの情報をそれぞれ処理する処理手段１２０ａ−１及び１２０ａ−２としての他、ポートＰ１３及びＰ１４に接続された５ビット系機器又は接点機器に対応した処理手段を選択する選択手段１２０ａ−３、ポートＰ１３及びＰ１４の各々に予め定められた当該ポートを識別するための識別情報と設定データとを有する設定情報を電話回線からなる通信回線を介してセンタ装置から受信し、この受信した設定情報に基づいて、ＲＡＭ１２０ｃ内にポートＰ１３及びＰ１４にそれぞれ対応して形成した設定データ格納手段としての設定データ格納エリア１２０ｃ１に設定データを書き込んで格納させるデータ設定手段１２０ａ−４として働き、このためのプログラムがＲＯＭ１２０ｂに格納されている。
【００３６】
ポートＰ１３及びＰ１４にそれぞれ対応してＲＡＭ１２０ｃ内に形成された設定データ格納エリアは同一であり、例えばポートＰ１３について示すと、図４のように、ポートに対応して予め定められたポートを識別するための識別情報であるＩＤとポート番号とを格納する共通エリア１２０ｃ１１と、ポートに５ビット系機器が接続されたときに使用される設定データを格納する設定データ格納部としての５ビット用設定データ格納エリア１２０ｃ１２と、接点機器が接続されたときに使用される設定データを格納する設定データ格納部としての接点用設定データ格納エリア１２０ｃ１３とを有する設定データ格納エリア１２０ｃ１が形成されている。
【００３７】
共通エリア１２０ｃ１１に格納されるポート番号は、２桁の数字にて形成され、上位桁はポートに接続される機器の種類に対応した種別情報であるポート種別を表し、下位桁は同一種別ないの番号情報であるポート番号を表し、例えばポート種別は「１」によって５ビット系機器の接続されるポートを、「３」によって接点機器の接続されるポートをそれぞれ表すようにされている。従って、５ビット系ポートが複数あるときには１１、１２、１３、…のようなポート番号が使用され、接点ポートの場合には３１、３２、３３、…のようなポート番号が使用される。
【００３８】
設定データ格納部としての５ビット用設定データ格納エリア１２０ｃ１２及び接点用設定データ格納エリア１２０ｃ１３に格納される設定データはそれぞれ図４に示すものからなる。これらの設定データは、図５に示す形式の下り電文によって、センタ装置から電話回線を介して伝送装置に伝送されてくる設定情報に基づいてデータ設定手段として働くＣＰＵ１２０ａによって各エリアに書き込まれる。
【００３９】
データ設定のための電文形式は、具体的には、電文の開始を示すＳＴＸ、電文の識別と、ポートの各々に予め定められポートを識別するための識別情報である宛先ポートとを示す識別子・ＩＤ、処理が設定データあることを示す処理種別、ポート番号、データ（可変長）、電文の終わりを示すＥＴＸ、電文チェックのためのＢＣＣからなっている。よって、設定データが５ビット系機器のためのものであるときには、識別子・ＩＤをデータ設定すべきポートに対応するものに、処理種別を「設定」に、データを設定データにそれぞれした上で、ポート番号の上位桁を「１」にすればよい。接点機器の場合には、ポート番号の上位桁を「３」にすることになる。
【００４０】
上述したような電文を受け取った端末用伝送装置においては、電文のＩＤと同じＩＤを有する設定データ格納エリア１２０ｃ１の５ビット用設定データ格納エリア１２０ｃ１２に受信電文中の設定データを、共通エリア１２０ｃ１１のポート番号エリアに受信電文中のポート番号をそれぞれ書き込んで格納することになる。なお、共通エリア１２０ｃ１１のポート番号の上位桁は、上述したように、ポートに接続される機器の種類に対応しているので、その数を知ることによって機器に対応した処理を選択することができる。よって、共通エリア１２０ｃ１１は、ポートに対応した２つの処理、すなわち、５ビット系機器と接点機器とが発生する異なる種類の情報について行う２種類の処理の１つを選択するための選択情報を変更可能に保持する選択情報保持手段として働いている。
【００４１】
５ビット系機器又は接点機器が接続されマルチポートとされているポートＰ１３及びＰ１４を制御部１２に接続するインタフェース（Ｉ／Ｆ）部１３は、具体的には図６に示すように、各ポートに対応する２つのインタフェース回路１３１及び１３２を有する。ポートＰ１３及びＰ１４に対応するインタフェース回路は共通の構成となっているので、その一方Ｐ１３に対応するインタフェース回路１３１のみを具体的に示している。
【００４２】
同図において、インタフェース回路１３１は２つのフォトカプラＰＣ１及びＰＣ２を有し、フォトカプラＰＣ１のフォトダイオードＰＤ１はアノードが第１の電源に、カソードが抵抗を介して制御部１２を構成するマイコン内のＣＰＵの出力ポートＯ１にそれぞれ接続されている。フォトカプラＰＣ１のフォトトランジスタＰＴ１はコレクタが第２の電源に、エミッタが抵抗を介してポートＰ１３の＋端子にそれぞれ接続されている。ポートＰ１３の＋端子はまた分圧抵抗を介し、−端子は直接アースに接続されている。
【００４３】
フォトカプラＰＣ２のフォトトランジスタＰＴ２のコレクタは抵抗を介して制御部１２を構成するマイコン内のＣＰＵの入力ポートＩ１に直接に、第１の電源に更に抵抗を介してそれぞれ接続されると共に、エミッタがアースに接続されている。ＣＰＵの入力ポートＩ１または充放電用コンデンサを介してアースに接続されている。フォトカプラＰＣ２のフォトダイオードＰＤ２はアノードが抵抗を介して第２の電源に、カソードがスイッチングトランジスタＳＴを介してアースにそれぞれ接続されている。スイッチングトランジスタＳＴの制御端子であるベースには上記分圧抵抗の相互接続点が接続されている。
【００４４】
フォトカプラＰＣ１及びＰＣ２は、インタフェース回路の通信回線側と機器側とを電気的に分離するためのもので、これに関連して通信回線側と機器側の回路部分が、別個の電源である第１の電源と第２の電源とによってそれぞれ動作されるようになっている。
【００４５】
以上の構成において、ポートＰ１３に５ビット系機器が接続されているときに、常時ＨレベルにあるＣＰＵの出力ポートＯ１をＬレベルにすると、フォトダイードＰＤ１が点灯してフォトトランジスタＰＴ１がオンし、第２の電源から抵抗を介してアースに電流が流れることによって、それまでＬレベルに相当する電圧状態にあったポートＰ１３の＋端子に第２の電源を分圧したＨレベルに相当する電圧が生じる。よって、制御部１２から５ビット系機器へ伝送する電文内容に応じて繰り返すことによって制御部１２から５ビット系機器へ情報の通信が行われる。
【００４６】
これに対し、５ビット系機器側において、５ビット系機器から制御部１２へ伝送する電文内容に応じてポートＰ１３の＋端子及び−端子間をＨレベル及びＬレベルに相当する電圧を発生させると、Ｈレベルに相当する電圧が生じたときに分圧抵抗に電流が流れてスイッチングトランジスタＳＴがオンし、これによってフォトダイードＰＤ２が点灯してフォトトランジスタＰＴ２がオンし、このオンしたフォトトランジスタＰＴ２を通じて第１の電源よって充電されていた充放電コンデンサの電荷が放電され、それまでＨレベルにあったＣＰＵの入力ポートＩ１がＬレベルになる。よって一定時間間隔で入力ポートＩ１を監視しているＣＰＵは、入力ポートＩ１のＨレベルからＬレベルへの立ち下がりを検知してその後の電文内容を読み込むようになる。以上によって、制御部１２と５ビット系機器との間の電文の送受が行われる。
【００４７】
ポートＰ１３に接点機器が接続されているときには、常時ＨレベルにあるＣＰＵの出力ポートＯ１を一定時間毎にＬレベルにし、フォトダイードＰＤ１を点灯させてフォトトランジスタＰＴ１をオンさせる。このとき、接点機器内のスイッチの状態に応じて、第２の電源から分圧抵抗を介してアースに電流が流れたり、流れなかったりする。接点機器のスイッチがオフしていて分圧抵抗に電流が流れると、スイッチングトランジスタＳＴがオンしてフォトカプラＰＣ２のフォトダイオードＰＤが点灯してフォトトランジスタＰＴ２がオンし、充放電コンデンサの電荷が抵抗を介してアースに放電される。このことによって、それまでＨレベルにあった入力ポートＩ１がＬレベルになる。
【００４８】
これに対し、接点機器のスイッチがオンしていて分圧抵抗が短絡されて分圧抵抗に電流が流れないときには、スイッチングトランジスタＳＴはオンせず、充放電コンデンサの電荷が抵抗を介してアースに放電されることがないので、入力ポートＩ１がＬレベルになることなくＨレベルを保つ。よって、制御部１２のマイコン１２０内のＣＰＵはその出力ポートＯ１を一定時間毎にＬレベルにした後、入力ポートＩ１の状態を読み込むことによって、ポートＰ１３に接続された接点機器のスイッチがオン状態にあるか、オフ状態にあるか検出することができるようになり、接点機器から制御部１２への接点情報、すなわち、オン・オフ信号の伝送が行われる。
【００４９】
ブロックによって示されているインタフェース回路１３２は、上述したようにインタフェース回路１３１と同様の構成を有し、マイコン内のＣＰＵの出力ポートＯ２及び入力ポートＩ２とポートＰ１４の＋端子及び−端子との間に接続されている。
【００５０】
上述した構成において、制御部１２を構成するマイコン１２０内のＣＰＵ１２０ａは、リセットスタート（電源投入）時に、ＲＯＭ１２０ｂから初期データを読み込み、ＲＡＭ１２０ｃ内に構成した設定データ格納エリア１２０ｃ１に初期値を書き込む。特に、共通エリア１２０ｃ１１においては、ポートに対応して予め定められたポートを識別するための識別情報であるＩＤを書き込むと共に、ポート番号に０を書き込む。
【００５１】
その後、ポートＰ１３及びＰ１４に５ビット系機器又は接点機器を接続するために必要な設定作業を行う。この設定作業では、局線ポートＰ１に接続された通信回線である電話回線を介してセンタ装置から５ビット系ポート、接点機器ポートに関連した設定電文が送信される。センタ装置が設定電文を送信すると、端末用伝送装置はセンタ装置との通信処理を行い、この通信処理によって受信した電文を解読する。解読は、設定電文中のポート番号の上位桁が「１」であるか「３」であるかによって行う。
【００５２】
その結果が「１」で、受信した設定電文が５ビット系ポートに関連したものであるときには、共通エリア１２０ｃ１１のポート番号エリアに受信した設定電文中のポート番号を書き込むと共に、設定データ格納エリア１２０ｃ１中の５ビット用設定データ格納エリア１２０ｃ１２に受信した設定電文中の設定データを書き込み格納する。上位桁が「３」であるときには、共通エリア１２０ｃ１１のポート番号エリアに受信した設定電文中のポート番号を書き込むと共に、設定データ格納エリア１２０ｃ１中の接点用設定データ格納エリア１２０ｃ１３に受信した設定電文中の設定データを書き込み格納する。
【００５３】
５ビット用設定データ格納エリア１２０ｃ１２、接点用設定データ格納エリア１２０ｃ１３への設定データの書き込みは上書きによって行われ、変更のある項目の設定データだけを設定電文にて行うことができる。また、ポート番号の上位桁のみを変えた設定電文を受け取ったときには、ポート機能の切替のみが行われ、切替前のポート機能に対応する設定データはそのまま保持される。
【００５４】
ポート機能の設定及び設定データの格納を行う設定処理に続いては、伝送装置としての機器監視処理を行い。この機器監視処理においては、各ポートＰ１３、Ｐ１４にそれぞれ対応して設けられた共通エリア１２０ｃ１１に格納されているポート番号の上位桁に基づいてポートに接続される機器の種類を判断し、５ビット系機器が接続される状態になっていると判断した場合には、５ビットポートについての監視処理を行い、接点機器が接続される状態になっていると判断した場合には、接点ポートについての監視処理を行う。共通エリア１２０ｃ１１のポート番号が「００」でデフォルト状態にあるときには、当該ポートについての設定作業が行われていないとして何らの監視処理も行わない。
【００５５】
以上概略説明した端末用伝送装置の動作を、制御部１２を構成しているマイコン１２０内のＣＰＵ１２０ａが行う処理を示す図７〜図９のフローチャートを参照して以下説明する。
【００５６】
図７において、ＣＰＵ１２０ａは電源投入或いはリセットスタートによって動作を開始し、その最初のステップＳ１において初期化処理を行う。この初期化処理においては、ＲＯＭ１２０ｂ内のデータに基づいて設定データ格納エリア１２０ｃ１に初期値（デフォルト値）を書き込む。その後ステップＳ２に進んでセンタ装置との通信処理を行ってからステップＳ３に進んで上記ステップＳ２の通信によって受信した電文の解読処理を行う。続いて、ステップＳ４に進んでステップＳ３において解読した電文に基づいて各ポートＰ１３及びＰ１４に関連した設定処理を行う。ステップＳ４の処理を行った後はステップＳ５に進んで上記ステップＳ４において設定された設定内容に応じてポートを監視する監視処理を行う。ステップＳ５の終了後は、他の処理を経て上記ステップＳ２の通信処理に戻り、ステップＳ２〜Ｓ５などの処理を繰り返す。
【００５７】
上記ステップＳ４の設定処理は、具体的には図８に示すように、ステップＳ３の電文の解読処理によって解読した電文中の識別情報によって電文が設定のためのものであるかどうかを知り、ステップＳ４１において、設定電文中のポート番号の上位桁が「１」であるか否かを判定する。このステップＳ４１の判定がＹＥＳのときにはステップＳ４２に進んで、設定電文中のポート番号を共通エリア１２０ｃ１１のポート番号に書き込み保持すると共に、電文中の設定データを設定データ格納エリア１２０ｃ１の５ビット用設定データ格納エリア１２０ｃ１２中の対応する項目に書き込み格納してから次のステップＳ５に進む。
【００５８】
ステップＳ４１の判定がＮＯのときにはステップＳ４３に進んで、設定電文中のポート番号の上位桁が「３」であるか否かを判定する。このステップＳ４３の判定がＹＥＳのときにはステップＳ４４に進んで、設定電文中のポート番号を共通エリア１２０ｃ１１のポート番号に書き込み保持すると共に、電文中の設定データを設定データ格納エリア１２０ｃ１の接点用設定データ格納エリア１２０ｃ１３中の対応する項目に書き込み格納してから次のステップＳ５に進む。ステップＳ４３の判定がＮＯのときには、解読処理によって解読した電文中の識別情報によって電文が設定電文とないとして何らの設定処理を行わずに次のステップＳ５に進む。
【００５９】
上記ステップＳ５の監視処理は、具体的には図９に示すように、ステップＳ４１又はＳ４４において共通エリア１２０ｃ１１に格納したポート番号の上位桁によってポートの監視の仕方を決定するたものもので、ステップＳ５１において、共通エリア１２０ｃ１１のポート番号の上位桁が「１」であるか否かを判定し、この判定がＹＥＳのときにはステップＳ５２に進んで５ビットポートを監視する監視処理を行う。ステップＳ５１の判定がＮＯであるときにはステップＳ５３に進んで共通エリア１２０ｃ１１のポート番号の上位桁が「３」であるか否かを判定し、この判定がＹＥＳのときにはステップＳ５４に進んで接点ポートを監視する監視処理を行う。ステップＳ５３の判定もＮＯのときには共通エリア１２０ｃ１１のポート番号が「００」となっていてポート番号の上位桁に「１」及び「３」の何れも設定されていないとして、監視処理を行わないで次の処理に進む。
【００６０】
上述した実施の形態によれば、端末用伝送装置を設置後電池電源を装着することによって装置の動作が開始し、まず、全てのポートに対応する設定データ格納エリア１２０ｃ１に初期値を格納する。この状態では設定データ格納エリア１２０ｃ１の共通エリア１２０ｃ１１に各ポートに予め定められたＩＤが格納されるだけである。
【００６１】
その後、センタ装置において、設置した端末用伝送装置のための設定データを作成して所定の保存処理を行った後、当該設定データを含む処理種別を「設定」とした電文を作成した上で、当該端末用伝送装置の接続されている局線の電話番号をダイヤルして伝送することになる。
【００６２】
このセンタ装置からの電文を端末用伝送装置が受信すると、この電文の識別子・ＩＤによってデータ設定すべきポートに対応する設定データ格納エリア１２０ｃ１を選択すると共に、電文のポート番号をこの選択した設定データ格納エリア１２０ｃ１の共通エリア１２０ｃ１１に書き込み格納し、かつポート番号の上位桁の数値によって、受信した電文の設定データを５ビット用設定データ格納エリア１２０ｃ１２又は接点用設定データ格納エリア１２０ｃ１３の一方に書き込み格納する。なお、処理種別が「設定」のときの設定データは、図４について上述した全項目であったり、特定の１つであったりする。
【００６３】
共通エリア１２０ｃ１１に格納したポート番号の上位桁が「１」であるときには、設定データは５ビット用設定データ格納エリア１２０ｃ１２に書き込み格納されるので、制御部１２０は当該ポートに接続される５ビット系機器からの情報の処理を行い、「３」であるときには、設定データは接点用設定データ格納エリア１２０ｃ１３に書き込み格納されるので、当該ポートに接続される接点機器からの情報の処理を行うようになる。
【００６４】
なお、上述のように一度データの設定を行った後に、ポートに接続すべき機器を変更したいときには、センタ装置からはポート番号の上位桁をその機器に対応する数値にした電文を送信することになる。これを受信した端末用伝送装置は、共通エリア１２０ｃ１１にポート番号を格納すると共に対応する設定データ格納エリアに設定データを格納することによって、簡単に当該ポートに接続すべき機器の種類を変更することができる。また、このときそれ以前の機器からの情報を処理するための設定データは変更されることなく保存されるので、センタ装置に保存されたデータとの対応関係がその後も保持されるようになる。
【００６５】
各ポートについてデータの設定が行われた後は、制御部１２０は共通エリア１２０ｃ１１に選択情報として格納されているポート番号の上位桁によって、ポートが５ビット系ポート、接点ポートの何れとして使用されているかを判断し、各ポートにあった処理を行う。
【００６６】
そして、５ビット系ポートとして設定されたときには、ポートに接続されたメータからの起動要求信号を入力ポートにて、起動条件に従って、以下のように処理する。起動要求を無視して端末発呼を行わない。起動を受けて直ちに発呼する。メータからのセキュリティデータを取り込んだ後発呼する。メータからのセキュリティデータ、検針データを取り込んだ後発呼する。以下のように処理する。メータからのセキュリティデータ１，２、検針データを取り込んだ後発呼する。
【００６７】
センタ装置からの５ビットポート選択電文を受信すると、メータに検針データ要求を送信する。これに応じてメータから受信した電文は、選択電文応答に載せてセンタ装置に送信する。センタ装置からポートへの電文を受信すると、メータに電文を送信し、これに応じてメータから受信した電文は電文応答に載せてセンタ装置に送信する。定時検針については、その条件にて設定された日時にメータに起動をかけ、検針データ要求を送信した後、メータからの検針応答電文は定時検針条件によりセーブするか、又は、センタ装置に送信する。
【００６８】
また、接点ポートとして設定されたときには、設定データによって設定された発呼条件、発呼時期の内容に従って接点機器を監視し、発呼条件が成立したとき通報することになる。
【００６９】
上述した実施の形態によれば、設定データはセンタ装置から電話回線を介して送信されるようになっているが、図２に点線で示すように、設定器接続ポートＰ１５を設け、このポートＰ１５に接続した設定器と制御部１２との間でＩ／Ｆ部１３を介して電文の送受を行い、設定データを制御部１２を構成するマイコン１２０内のＲＡＭ１０２ｃに形成した設定データ格納エリア１２０ｃ１に書き込み格納するようにすることもできる。しかし、上述した実施の形態のようにセンタ装置から設定データを送信するようにした方が、後にセンタ装置側の設定データと端末用伝送装置側の設定データの整合性をとる必要が生じたとき、センタ装置に送信した設定データを保存しておくだけでよいので、面倒な作業無しに行うことができる点で好ましい。
【００７０】
また、上述の実施の形態によれば、機器からの情報を処理する処理の仕方を選択するために、ポート番号の上位桁を利用するようにしているが、例えばディップスイッチを設け、このディップスイッチの設定によって選択情報を保持するようにすることも可能である。しかし、上述した実施の形態のようにセンタ装置或いは設定器からの電文中に予め定められているポート番号の情報を使用するようにした場合には、別個に何らの手段も必要なく、また既に定められている電文形式をそのまま利用することができるので、他社製品との整合性を乱すことなく実施可能となる点で好ましい。
【００７１】
さらに、上述の実施の形態によれば、処理に必要な設定データを格納する設定データ格納エリア１２０ｃ１は、５ビット用設定データ格納エリア１２０ｃ１２と接点用設定データ格納エリア１２０ｃ１３とを有し、機器に応じて使用する設定データが別々のエリアに独立に書き込まれて格納されるようになっているが、設定データ格納エリアを別々に設けることなく共用し、選択情報の変更に応じて一方の設定データだけが書き込まれて格納されるようにしてもよい。しかし、実施の形態のように別個のエリアを用意して別々に格納できるようになっていると、選択情報を変更してもそれ以前の設定データを保存しておくことができるので、後に再度変更した場合に、設定データの一部設定のし直し、或いは全くの新たな設定データの設定し直しなしにて、変更作業を終了することができるようになる点で好ましい。
【００７２】
【発明の効果】
以上説明したように、請求項１記載の発明によれば、選択情報を変更することによって、ポートに接続された機器の種類に応じた処理が選択できるようになって、複数の種類から任意に選んだ機器を１つのポートに接続しても、設定データにより接続された機器からの情報を処理することができるので、１つのポートに複数種類の機器を接続することができるようになって、予め余分のポートを設けることなく、機器の接続構成を多くとることを可能にした端末用伝送装置を提供することができる。
【００７３】
また、１つのポートに、情報を複数ビットのデジタル信号にて発生する第１の機器、又は、情報を接点のオン・オフ信号にて発生する第２の機器を接続することができるようになって、予め余分のポートを設けることなく、第１及び第２の機器を任意に組み合わせて接続することを可能にした端末用伝送装置を提供することができる。
【００７４】
さらに、選択情報を変更することによって、ポートに接続された機器の種類に応じた処理が選択でき、複数の種類から任意に選んだ機器を１つのポートに接続しても、当該処理に対応した設定データにより接続された機器からの情報を処理することができるので、既に設定データが存在しその変更が必要ないときには、選択情報のみを変更することで、特定ポートに対して接続できる機器を任意に変更できる端末用伝送装置を提供することができる。
【００７５】
さらにまた、設定データに対応して、ポートに予め定められた当該ポートを他のポートと識別するための識別情報を有するので、この識別情報によって設定データがどのポートのものであるかを知ることができ、識別情報によってポートと設定データとの対応付けが行われるので、識別情報を使用して設定データの書き込み格納及び読み出しを容易に行える端末用伝送装置を提供することができる。
【００７６】
また、外部から受信した設定情報の有する識別情報によって、ポートに対応させて受信した設定データを確実に書き込み格納させることができる端末用伝送装置を提供することができる。
【００７７】
また、外部から受信した設定情報の有するポート番号の種別情報をそのまま利用して処理を選択するための選択情報を確保することができるので、設定データの変更と同じように、ポートに接続される機器の種類に応じた処理が選択できる端末用伝送装置を提供することができる。
【００７８】
上述した請求項２記載の構成によれば、設定情報がセンタ装置から通信回線を介して伝送されるので、センタ装置において設定情報を作成し管理することができるので、全ての設定作業や変更作業をその後の面倒な作業を伴うことなく、センタ装置において行える端末用伝送装置を提供することができる。
【００７９】
上述した請求項３記載の構成によれば、センタ装置から受信した設定情報のポート番号に基づいて選択情報を変更することによって、複数のポートにそれぞれ接続された機器の種類に応じた処理が選択でき、複数の種類から任意に選んだ機器を１つのポートに接続しても、処理は格納されている設定データにより接続された機器からの情報を処理することができるので、１つのポートに複数種類の機器を接続することができるようになって、予め余分のポートを設けることなく、機器の接続構成を多くとることを可能にすると共に、センタ装置において設定情報を作成し管理することができる端末用伝送装置を提供することができる。
【図面の簡単な説明】
【図１】本発明による端末用伝送装置の基本構成を示すブロック図である。
【図２】本発明による端末用伝送装置の一実施の形態を示すブロック図である。
【図３】図２中の制御部の構成を示す図である。
【図４】図３中のＲＡＭ内に形成した設定データ格納エリアの構成を示す図である。
【図５】センタ装置からの下り電文の構成を示す図である。
【図６】インタフェース回路の具体的な回路例を示す回路図である。
【図７】図３中のＣＰＵが行う処理を示すフローチャートである。
【図８】図７中の設定処理の具体例を示すフローチャートである。
【図９】図７中の監視処理の具体例を示すフローチャートである。
【図１０】従来の端末用伝送装置の一例を示すブロック図である。
【図１１】従来の装置の設定データ格納エリア構成を示す図である。
【符号の説明】
Ｐ１３，Ｐ１４              ポート
１２０ａ−１，１２０ａ−２  複数の処理手段（ＣＰＵ）
１２０ａ−３                選択手段（ＣＰＵ）
１２０ｃ１                  設定データ格納手段（ＲＡＭ）
１２０ｃ１１                選択情報保持手段（ＲＡＭ）
１２０ｃ１２，１２０ｃ１３  設定データ格納部（ＲＡＭ）
１２０ａ−４                データ設定手段（ＣＰＵ）
【図１】
0003575587.tif 000002
【図２】
0003575587.tif 000003
【図３】
0003575587.tif 000004
【図４】
0003575587.tif 000005
【図５】
0003575587.tif 000006
【図６】
0003575587.tif 000007
【図７】
0003575587.tif 000008
【図８】
0003575587.tif 000009
【図９】
0003575587.tif 000010
【図１０】
0003575587.tif 000011
【図１１】
0003575587.tif 000012